(57)【要約】【課題】  ＳＳ７網の信号をＳＣＴＰを用いて通信制御を行う場合に、アクティブ系の障害発生時に、スタンバイ系による通信制御に速やかに移行できるようにすること。【解決手段】  信号中継局１０２のアクティブ系通信制御装置１０６が信号中継局１０５と信号終端局１０４間の信号伝送を制御しているときに、スタンバイ系通信制御装置１０７は通信制御装置１０６と同じＳＣＴＰシステム情報の複製を保有しており、通信制御装置１０６、１０７は同期している。通信制御装置１０６に障害が生じた場合、通信制御装置１０７は自己のＳＣＴＰシステム情報を使用して、通信制御装置１０６に代わって直ちにアクティブ系に移行し、通信制御を行う。【選択図】  図１
2007274256.tif 000002
【特許請求の範囲】
【請求項１】
複数の通信装置の間に、並列構成されたアクティブ系通信制御装置とスタンバイ系通信制御装置を有する通信制御装置を配設し、前記アクティブ系通信制御装置に障害が生じたとき、前記アクティブ系通信制御装置に代わって、前記スタンバイ系通信制御装置をアクティブ系通信制御装置として動作させるようにした多重化システムにおいて、
ＳＳ７網の信号をＳＣＴＰを用いて信号の送受信制御を行い、前記アクティブ系通信制御装置におけるＳＣＴＰシステム情報の複製をスタンバイ系通信制御装置で保持することによって前記アクティブ系通信制御装置とスタンバイ系通信制御装置間で同期をとり、前記アクティブ系通信制御装置に障害が生じたとき、前記スタンバイ系通信制御装置が前記複製されたＳＣＴＰシステム情報を用いてアクティブ系通信制御装置として動作することを特徴とする多重化システム。
【請求項２】
前記アクティブ系通信制御装置とスタンバイ系通信制御装置間における前記ＳＣＴＰシステム情報の通信は、専用のネットワークを介した通信、又は、ハードウェア伝送路を用いた通信によって行うことを特徴とする請求項１記載の多重化システム。
【請求項３】
複数の通信装置の間に、並列構成されたアクティブ系通信制御装置とスタンバイ系通信制御装置を有する通信制御装置を配設し、前記アクティブ系通信制御装置に障害が生じたとき、前記アクティブ系通信制御装置に代わって、前記スタンバイ系通信制御装置をアクティブ系通信制御装置として動作させるようにした多重化システムにおいて、
ＳＳ７網の信号をＳＣＴＰを用いて信号の送受信制御を行うと共に、前記アクティブ系通信制御装置とスタンバイ系通信制御装置が参照可能な共有メモリ手段を有し、
前記アクティブ系通信制御装置におけるＳＣＴＰシステム情報を前記共有メモリ手段に記憶し、前記アクティブ系通信制御装置に障害が生じたとき、前記スタンバイ系通信制御装置が前記共有メモリ手段に記憶されたＳＣＴＰシステム情報を用いてアクティブ系通信制御装置として動作することを特徴とする多重化システム。
【請求項４】
複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作する通信制御装置において、
記憶手段と、前記アクティブ系通信制御装置から受信したＳＣＴＰシステム情報を前記記憶手段に記憶する複製手段とを備え、
前記アクティブ系通信制御装置に障害が発生したことを検出したとき、前記記憶手段に記憶されたＳＣＴＰシステム情報を用いてアクティブ系通信制御装置として動作することを特徴とする通信制御装置。
【請求項５】
前記ＳＣＴＰシステム情報は、前記アクティブ系通信制御装置から専用のネットワークを介して、又は、ハードウェア伝送路を介して受信することを特徴とする請求項４記載の通信制御装置。
【請求項６】
複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作する通信制御装置において、
前記アクティブ系通信制御装置に障害が発生したことを検出したとき、共有メモリ手段に記憶された前記アクティブ系通信制御装置のＳＣＴＰシステム情報を用いてアクティブ系通信制御装置として動作することを特徴とする通信制御装置。
【請求項７】
複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作するコンピュータを、
前記アクティブ系通信制御装置から受信したＳＣＴＰシステム情報を記憶手段に記憶する複製手段を備え、前記アクティブ系通信制御装置に障害が発生したことを検出したとき、前記記憶手段に記憶されたＳＣＴＰシステム情報を用いてアクティブ系通信制御装置として機能させることを特徴とするプログラム。
【請求項８】
複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作するコンピュータを、
前記アクティブ系通信制御装置に障害が発生したことを検出したとき、共有メモリ手段に記憶された前記アクティブ系通信制御装置のＳＣＴＰシステム情報を用いてアクティブ系通信制御装置として機能させることを特徴とするプログラム。
【発明の詳細な説明】
【技術分野】
【０００１】
本発明は、ＳＣＴＰを用いて信号の送受信制御を行う多重化システム及び前記多重化システムに好適な通信制御装置に関する。
【背景技術】
【０００２】
従来から、ＩＰ（Internet Protocol）ネットワーク間で信号通信を行うシステム等において、経路障害に対する信頼性を向上させるために、局間のＩＰパスを二重化（マルチホーム化）し、動作中のアクティブ系が障害になった時は、それまでのスタンバイ系がアクティブ系に切り替わって通信を続けることができるようにしたシステムが開発されている（例えば、特許文献１〜４参照）。
スタンバイ係がアクティブ系に切り替わることができるように、これらの系間で同期をとるようにしている（例えば、特許文献１、４参照）。また、共有メモリを使用することにより二重化するように構成したものがある（例えば、特許文献３参照）。
【０００３】
ところで、ＩＰネットワーク上で電話網の制御信号を転送するために開発されたトランスポート層のプロトコルであるＳＣＴＰ（Stream Control Transmission Protocol:RFC2960）は、ＳＳ７（Signaling System No.7）など既存電話網で流れる信号をＩＰネットワーク上で転送するためにＩＥＴＦ（Internet Engineering Task Force）で標準化された信頼性のあるデータ転送プロトコルである。
ＳＣＴＰは、既存電話網とＩＰネットワーク網を中継する信号中継局（ＳＧＷ：Signalling Gateway）やＩＰネットワーク網上で制御信号を終端し信号を処理する信号終端局（ＩＰ−ＳＥＰ：IP Signalling EndPoint）の間で信号通信に用いられており、そのデータ転送には高い信頼性が要求される（例えば、特許文献５参照）。
【０００４】
図３は、既存電話網とＩＰネットワーク間で信号通信を行うシステムの一般的な構成を示すブロック図である。
図３において、１０１はＳＳ７網、３０２は通信制御装置である信号中継局、１０３はＩＰ網、１０４は信号終端局（ＩＰ−ＳＥＰ）、１０５は信号中継局（ＳＴＰ：Signaling Transfer Point）、３０６はアクティブ系通信制御装置、３０７はスタンバイ系通信制御装置、１０９はＩＰルータである。
【０００５】
信号中継局３０２は、ＳＳ７網１０１、ＩＰ網１０３、ＩＰルータ１０９を介する信号中継局１０５と信号終端局１０４との間の信号の送受信を制御する。
信号転送経路における信号抜けや順序逆転に対しては、ＳＣＴＰプロトコルで回復保障されており、経路障害に対する信頼性は、局間のＩＰパスの二重化（マルチホーム化）によって実現されている。また通常、通信を行う装置は二重化（アクティブ系／スタンバイ系）され、通常時に動作中のアクティブ系通信制御装置３０６が障害になった時は、それまでのスタンバイ系通信制御装置３０７がアクティブ系に切り替わって通信を続けることができるように構成されている。
【０００６】
一方ＳＣＴＰは、対向装置との間でコネクション（アソシエーション）を確立し、通信に必要な情報を保持しあうことで信頼性のある信号転送を保障するコネクション指向プロトコルであるため、通信を行っている装置自体が障害になったような場合、このアソシエーションは切断されてしまい、通信に必要な情報も失われてしまう。
障害となった装置で処理されていた信号は全て失われてしまい、アクティブ系装置の切り替えに際しては、対向装置と新しくアクティブ系となる装置との間でアソシエーションの再確立が必要となってしまうため、この間の信号転送が停止してしまう問題がある。
障害発生時における高信頼性を保障するため、自局の装置障害においても対向局の装置が障害を意識することなく通信を継続できるようにすることが望まれている。
【０００７】
また、固定電話網および携帯電話網を実現するＩＰネットワーク上でのＳＣＴＰプロトコル通信においては、障害発生時における高信頼性を保障するため、自局の装置障害においても対向局の装置が障害を意識することなく通信を継続できる実装方法が望まれている。
しかしながら、前記各特許文献には、ＳＳ７網の信号をＳＣＴＰを用いて通信制御を行う場合に、アクティブ系に障害が発生したとき、スタンバイ系にスムーズに移行できるようにした多重化システムは開示されていない。
【０００８】
【特許文献１】特開平７−１５４７２号公報
【特許文献２】特開２０００−１５６６９０号公報
【特許文献３】特開２０００−２０１１５９号公報
【特許文献４】特開２００１−９４５７７号公報
【特許文献５】特表２００４−５３３７４２号公報
【発明の開示】
【発明が解決しようとする課題】
【０００９】
本発明は、ＳＳ７網の信号をＳＣＴＰを用いて通信制御を行う場合に、アクティブ系の障害発生時に、スタンバイ系による通信制御に速やかに移行できるようにすることを課題としている。
【課題を解決するための手段】
【００１０】
本発明によれば、複数の通信装置の間に、並列構成されたアクティブ系通信制御装置とスタンバイ系通信制御装置を有する通信制御装置を配設し、前記アクティブ系通信制御装置に障害が生じたとき、前記アクティブ系通信制御装置に代わって、前記スタンバイ系通信制御装置をアクティブ系通信制御装置として動作させるようにした多重化システムにおいて、ＳＳ７網の信号をＳＣＴＰを用いて信号の送受信制御を行い、前記アクティブ系通信制御装置におけるＳＣＴＰシステム情報の複製をスタンバイ系通信制御装置で保持することによって前記アクティブ系通信制御装置とスタンバイ系通信制御装置間で同期をとり、前記アクティブ系通信制御装置に障害が生じたとき、前記スタンバイ系通信制御装置が前記複製されたＳＣＴＰシステム情報を用いてアクティブ系通信制御装置として動作することを特徴とする多重化システムが提供される。
【００１１】
ＳＳ７網の信号をＳＣＴＰを用いて信号の送受信制御を行い、アクティブ系通信制御装置におけるＳＣＴＰシステム情報の複製をスタンバイ系通信制御装置で保持することによって前記アクティブ系通信制御装置とスタンバイ系通信制御装置間で同期をとり、前記アクティブ系通信制御装置に障害が生じたとき、前記スタンバイ系通信制御装置が前記複製されたＳＣＴＰシステム情報を用いてアクティブ系通信制御装置として動作する。
ここで、前記アクティブ系通信制御装置とスタンバイ系通信制御装置間における前記ＳＣＴＰシステム情報の通信は、専用のネットワークを介した通信、又は、ハードウェア伝送路を用いた通信によって行うように構成してもよい。
【００１２】
また、本発明によれば、複数の通信装置の間に、並列構成されたアクティブ系通信制御装置とスタンバイ系通信制御装置を有する通信制御装置を配設し、前記アクティブ系通信制御装置に障害が生じたとき、前記アクティブ系通信制御装置に代わって、前記スタンバイ系通信制御装置をアクティブ系通信制御装置として動作させるようにした多重化システムにおいて、ＳＳ７網の信号をＳＣＴＰを用いて信号の送受信制御を行うと共に、前記アクティブ系通信制御装置とスタンバイ系通信制御装置が参照可能な共有メモリ手段を有し、前記アクティブ系通信制御装置におけるＳＣＴＰシステム情報を前記共有メモリ手段に記憶し、前記アクティブ系通信制御装置に障害が生じたとき、前記スタンバイ系通信制御装置が前記共有メモリ手段に記憶されたＳＣＴＰシステム情報を用いてアクティブ系通信制御装置として動作することを特徴とする多重化システムが提供される。
【００１３】
ＳＳ７網の信号をＳＣＴＰを用いて信号の送受信制御を行うと共に、アクティブ系通信制御装置とスタンバイ系通信制御装置が参照可能な共有メモリ手段を有し、前記アクティブ系通信制御装置におけるＳＣＴＰシステム情報を前記共有メモリ手段に記憶し、前記アクティブ系通信制御装置に障害が生じたとき、前記スタンバイ系通信制御装置が前記共有メモリ手段に記憶されたＳＣＴＰシステム情報を用いてアクティブ系通信制御装置として動作する。
【００１４】
また、本発明によれば、複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作する通信制御装置において、記憶手段と、前記アクティブ系通信制御装置から受信したＳＣＴＰシステム情報を前記記憶手段に記憶する複製手段とを備え、前記アクティブ系通信制御装置に障害が発生したことを検出したとき、前記記憶手段に記憶されたＳＣＴＰシステム情報を用いてアクティブ系通信制御装置として動作することを特徴とする通信制御装置が提供される。
【００１５】
アクティブ系通信制御装置に障害が発生したことを検出したとき、記憶手段に記憶されたＳＣＴＰシステム情報を用いてアクティブ系通信制御装置として動作する。
ここで、前記ＳＣＴＰシステム情報は、前記アクティブ系通信制御装置から専用のネットワークを介して、又は、ハードウェア伝送路を介して受信するように構成してもよい。
【００１６】
また、本発明によれば、複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作する通信制御装置において、前記アクティブ系通信制御装置に障害が発生したことを検出したとき、共有メモリ手段に記憶された前記アクティブ系通信制御装置のＳＣＴＰシステム情報を用いてアクティブ系通信制御装置として動作することを特徴とする通信制御装置が提供される。
アクティブ系通信制御装置に障害が発生したことを検出したとき、共有メモリ手段に記憶された前記アクティブ系通信制御装置のＳＣＴＰシステム情報を用いてアクティブ系通信制御装置として動作する。
【００１７】
また、本発明によれば、複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作するコンピュータを、前記アクティブ系通信制御装置から受信したＳＣＴＰシステム情報を記憶手段に記憶する複製手段を備え、前記アクティブ系通信制御装置に障害が発生したことを検出したとき、前記記憶手段に記憶されたＳＣＴＰシステム情報を用いてアクティブ系通信制御装置として機能させることを特徴とするプログラムが提供される。
【００１８】
複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作するコンピュータは、プログラムを実行することにより、前記アクティブ系通信制御装置から受信したＳＣＴＰシステム情報を記憶手段に記憶する複製手段を備え、前記アクティブ系通信制御装置に障害が発生したことを検出したとき、前記記憶手段に記憶されたＳＣＴＰシステム情報を用いてアクティブ系通信制御装置として機能する。
【００１９】
また、本発明によれば、複数の通信装置の間にアクティブ系通信制御装置と並列接続され、前記アクティブ系通信制御装置がアクティブ系として正常に動作している間はスタンバイ系として機能し、前記アクティブ系通信制御装置に障害が生じたときに、前記アクティブ系通信制御装置に代わって、アクティブ系通信制御装置として動作するコンピュータは、プログラムを実行することにより、前記アクティブ系通信制御装置に障害が発生したことを検出したとき、共有メモリ手段に記憶された前記アクティブ系通信制御装置のＳＣＴＰシステム情報を用いてアクティブ系通信制御装置として機能する。
【発明の効果】
【００２０】
本発明に係る多重化システムによれば、ＳＳ７網の信号をＳＣＴＰを用いて通信制御を行う場合に、アクティブ系に障害が発生したとき、スタンバイ系にスムーズに移行することが可能になる。
また、本発明によれば、前記多重化システムの構築に好適な通信制御装置を提供することが可能になる。
【発明を実施するための最良の形態】
【００２１】
先ず、本発明の実施の形態の概要を説明すると、本実施の形態は、コネクション指向のトランスポートプロトコルであるＳＣＴＰ（Stream Control Transmission Protocol: RFC2960）を用いた高信頼性の保障が必要とされる通信システムにおいて、通信装置が障害になったとき、速やかに予備装置に通信情報を引継ぎ、コネクションを切断することなく通信を継続させる機構を実現するものである。
【００２２】
具体的には、動作中の装置におけるＳＣＴＰコネクション情報（アソシエーション情報）の複製を二重化された通信制御装置上で保持させ、スタンバイ系の通信制御装置を動作中（アクティブ系）の通信制御装置と同期を取ることで、通信制御装置間で同じ情報を共有する。動作中の通信制御装置に障害が発生した場合は、二重化された予備通信制御装置（スタンバイ系通信制御装置）に処理を切り替えて、通信の対向装置に対して障害透過な処理を行うものである。
この通信制御装置間の情報の共有に関しては、高速大容量の通信方式を用いる必要があり、装置の実装方式に対応して、専用のネットワークを介した通信で実現する方法、バス等の高速なハードウェア伝送路を用いて実現する方法、装置間で共有可能なメモリを用いて実現する方法などが考えられる。
【００２３】
以下、図面を参照しながら、本発明の実施の形態に係る多重化システム、前記多重化システムに好適な通信制御装置、コンピュータに実行させることによって前記通信制御装置を構築するためのコンピュータ用プログラム及び通信制御方法について詳細に説明する。
図１は、本発明の実施の形態に係る多重化システムのブロック図で、図３と同一部分には同一符号を付している。
図１において、１０１はＳＳ７網、１０２は通信制御装置の一種である信号中継局（ＳＧＷ：Signalling Gateway）、１０３はＩＰ網、１０４は信号終端局（ＩＰ−ＳＥＰ）、１０５は信号中継局（ＳＴＰ：Signaling Transfer Point）、１０６はアクティブ系通信制御装置、１０７はスタンバイ系通信制御装置、１０９はＩＰルータである。
【００２４】
信号中継局１０２は、ＳＳ７網１０１、ＩＰ網１０３、ＩＰルータ１０９を介する信号中継局１０５と信号終端局１０４との間の信号の送受信を制御する。
信号転送経路における信号抜けや順序逆転に対しては、ＳＣＴＰプロトコルで回復保障されており、経路障害に対する信頼性は、局間のＩＰパスの二重化（マルチホーム化）によって実現されている。
【００２５】
また、信号中継局１０２は多重化（本実施の形態では、並列接続されたアクティブ系通信制御装置１０６及びスタンバイ系通信制御装置１０８によって二重化）され、通常時に動作中のアクティブ系通信制御装置１０６に障害が生じたときは、それまでのスタンバイ系通信制御装置１０７がアクティブ系に切り替わって通信を続けることができるように構成されている。アクティブ系通信制御装置１０６とスタンバイ系通信制御装置１０７はネットワークインタフェース（Ｉ／Ｆ）１０８によってデータ通信が可能なように構成されている。
【００２６】
図２は、信号中継局１０２の構成を示すブロック図である。
信号中継局１０２は、信号経路に対して並列接続されると共に、ネットワークＩ／Ｆ１０８によって相互接続された複数の通信制御装置（アクティブ系通信制御装置１０６、スタンバイ系通信制御装置１０７）を備えている。
アクティブ系通信制御装置１０６とスタンバイ系通信制御装置１０７は同一構成となっている。
【００２７】
アクティブ系通信制御装置１０６は、送受信する信号の処理を行う第１信号処理アプリケーション部２０１、第１ＳＣＴＰプロトコル機能部２０２、第１記憶手段を構成する第１メモリエリア２０３、第１ＳＣＴＰシステム情報レプリケーション機能部２０５を有している。メモリエリア２０３には、第１ＳＣＴＰシステム情報エリア２０４が含まれている。
スタンバイ系通信制御装置１０７は、送受信する信号の処理を行う第２信号処理アプリケーション部２１１、第２ＳＣＴＰプロトコル機能部２１２、第２記憶手段を構成する第２メモリエリア２１３、第２ＳＣＴＰシステム情報レプリケーション機能部２１５を有している。メモリエリア２１３には、第２ＳＣＴＰシステム情報エリア２１４が含まれている。
【００２８】
アクティブ系通信制御装置１０６及びスタンバイ系通信制御装置１０７は、各々、自装置がアクティブ系かスタンバイ系かを意識して処理を行うように構成されている。
何らの障害も発生してない通常状態では、アクティブ系通信制御装置１０６が通信制御を行い、スタンバイ系通信制御装置１０７は通信制御を行わずに待機状態にある。アクティブ系通信制御装置１０６が障害となると、スタンバイ系通信制御装置１０７はアクティブ系通信制御装置となって、通信制御装置１０６に代わって通信制御を行う。
【００２９】
ＳＣＴＰプロトコル処理を実現する機能ブロックであるＳＣＴＰプロトコル機能部２０２、２１２においては、あらかじめアソシエーション情報、動作中タイマ情報、処理中のスタック情報を共有するための固定メモリエリア（ＳＣＴＰシステム情報エリア２０４、２１４）を確保しておく。このＳＣＴＰシステム情報エリア２０４、２１４は、物理メモリ上の決まったアドレスに割り当てられており、アクティブ系の装置やスタンバイ系の装置で物理メモリ上の同じメモリアドレスを参照することが可能である。
【００３０】
確立したアソシエーションにおける通信情報、および信号送受信のために保留（バッファリング）される通信データ、処理スタック等、ＳＣＴＰプロトコル機能部２０２、２１２に関連するシステム情報は全てこのメモリエリアに書き込まれる。
また、二重化されている通信制御装置１０６、１０７上それぞれにおいて、この固定メモリエリアを監視し同期処理を行うレプリケーション機能ブロック（ＳＣＴＰシステム情報レプリケーション機能部２０５、２１５）を有する。
【００３１】
アクティブ系装置１０６上のＳＣＴＰシステム情報レプリケーション機能部２０５は、このＳＣＴＰシステム情報エリア２０４を常に監視しており、アソシエーション確立時やデータ送受信時にメモリ２０３への書き込みが行われると、ネットワークｉ／ｆ０８を介して即座に、そのデータをスタンバイ系装置１０７のＳＣＴＰシステム情報レプリケーション機能部２１５へ転送する。
【００３２】
スタンバイ系装置１０７のＳＣＴＰシステム情報レプリケーション機能部２１５は、アクティブ系装置１０６より受け取ったメモリデータをアクティブ系装置１０７のＳＣＴＰシステム情報エリア２１４上の同じメモリアドレスに書き込むことで、アクティブ系装置１０６とまったく同じアソシエーション情報、信号データ情報、システムの動作状態を保持することが可能となる。
【００３３】
ＳＣＴＰシステム情報レプリケーション機能部２０５、２１５は、各々、アクティブ系通信制御装置１０６のメモリエリア２０３に記憶されるデータと同一のデータを、スタンバイ系通信制御装置１０７のメモリエリア２１３に記憶する複製手段を構成している。
アクティブ系装置１０６の障害を検出した場合、スタンバイ系装置１０７のＳＣＴＰプロトコル機能部２１２は、アクティブ系装置１０６に代わって、即座にアクティブ系通信制御装置として起動し、レプリケーションされたシステム情報を用いて対向装置との通信を継続させる。
【００３４】
このように、すでに確立済みのアソシエーション情報を用いて処理を継続するため、アソシエーションを再確立する必要がなく、信号データもシーケンシャルに継続処理されるため、障害が起こったこと自体対向装置からは透過である。また障害となった装置にバッファリングされていた信号データも、スタンバイ系装置で処理されることから、信号抜けも発生しない。
【００３５】
本実施の形態の適用例として、携帯電話端末を用いてＩＰサービスの提供を実現するためにＩＰネットワーク網上で制御信号を転送や処理する信号処理サーバへの適用が考えられる。前記サーバは、キーボード等によって構成された入力手段、液晶表示装置等によって構成された表示手段、中央処理装置（ＣＰＵ）、前記ＣＰＵが実行するプログラムを記憶した記憶手段を備えた周知のコンピュータによって構成することができる。前記コンピュータは、前記記憶手段に記憶したプログラムを実行することにより、アクティブ系通信制御装置１０６、スタンバイ系通信制御装置１０７として機能する。
【００３６】
携帯電話網でＩＰサービスを提供する要素装置である信号処理サーバは、装置二重化を行うことにより障害が発生したときにサービスが停止してしまわないようにシステム構成している。これらの信号処理サーバは、装置間でＳＣＴＰシステム情報のレプリケーション通信を行うために専用ネットワークＩ／Ｆで接続されており、高速に通信できるものとする。信号処理サーバの構成機能として、前述したように、ＳＣＴＰプロトコル機能部、ＳＣＴＰシステム情報レプリケーション機能部、信号処理アプリケーション部があり、それぞれ自装置がアクティブ系かスタンバイ系かを意識して処理を行う。
【００３７】
通常運用時は、二重化された通信制御装置１０６、１０７のうち、アクティブ系の通信制御装置１０６のみ信号処理を行い、スタンバイ系通信制御装置１０７はアクティブ系通信制御装置１０６の障害発生時に備えてＳＣＴＰシステム情報エリア２１４に格納されたＳＣＴＰシステム情報を更新しつつ待機している。
アクティブ系通信制御装置１０６のＳＣＴＰシステム情報レプリケーション機能部２０５は、ＳＣＴＰプロトコル機能部２０２が処理を行う上で使用するアソシエーション情報やシステム情報が書き込まれるＳＣＴＰシステム情報エリア２０４の内容変更を常時監視しており、該当メモリエリア２０４に変更がある度に、ネットワークＩ／Ｆ１０８を介して、その変更をスタンバイ系通信制御装置１０７に送信する。
【００３８】
大量の信号量が流れるケースなど、ＳＣＴＰ通信の負荷が高い場合は、ＳＣＴＰシステム情報レプリケーション機能部２０５の動作は非常に高負荷となるため、レプリケーション処理を実行するための占有プロセッサを割り当ててもよい。または、変更の度にその変更を書き込むのではなく、１０ミリ秒などの周期を設け一括同期処理を行うことで負荷を軽減させることも可能である。
【００３９】
スタンバイ系通信制御装置１０７のＳＣＴＰシステム情報レプリケーション機能部２１５では、アクティブ系通信制御装置１０６のＳＣＴＰシステム情報レプリケーション機能部２０５から送られてきた更新情報を受信して、随時ＳＣＴＰシステム情報エリア２１４に記憶されているデータを更新して反映させる。
アクティブ系通信制御装置１０６の装置故障など障害が発生し、ＳＣＴＰでの通信処理が継続できなくなった場合、スタンバイ系通信制御装置１０７ではアクティブ系通信制御装置１０７の装置障害を検出し、即座にスタンバイ系からアクティブ系への系切り替えを実施する。
【００４０】
このとき、それまでアクティブ系として動いていた通信制御装置１０６の使用していたＩＰアドレスや、アプリケーション状態も引き継がれるものとする。新しくアクティブ系となった通信制御装置１０７では、アクティブ系となったことがＳＣＴＰプロトコル機能部２１２、ＳＣＴＰシステム情報レプリケーション機能部２１５、信号処理アプリケーション部２１１へ通達され、ＳＣＴＰアソシエーションの再確立を行うことなく障害発生前とまったく同じ状態でＳＣＴＰ通信処理の継続を開始することができる。
【００４１】
以上述べたように、本発明の実施の形態に係る多重化システムによれば、複数の通信装置間に、並列構成されたアクティブ系通信制御装置１０６とスタンバイ系通信制御装置１０７を有する通信制御装置１０２を配設し、アクティブ系通信制御装置１０６に障害が生じたとき、アクティブ系通信制御装置１０６に代わって、スタンバイ系通信制御装置１０７をアクティブ系通信制御装置として動作させるようにした多重化システムにおいて、ＳＳ７網の信号をＳＣＴＰを用いてＩＰネットワーク上で信号の送受信制御を行い、アクティブ系通信制御装置１０６におけるＳＣＴＰシステム情報の複製を、スタンバイ系通信制御装置１０７のＳＣＴＰシステム情報レプリケーション機能部２１５がメモリエリア２１３のＳＣＴＰシステム情報エリアに保持することによって、アクティブ系通信制御装置１０６とスタンバイ系通信制御装置１０７間で同期をとり、アクティブ系通信制御装置１０６に障害が生じたとき、スタンバイ系通信制御装置１０７が前記複製されたＳＣＴＰシステム情報を用いてアクティブ系通信制御装置として動作するように構成している。
【００４２】
また、ＳＳ７網の信号をＳＣＴＰを用いてＩＰネットワーク上で信号の送受信制御を行うと共に、アクティブ系通信制御装置１０６とスタンバイ系通信制御装置１０７が参照可能な共有メモリ手段を有し、アクティブ系通信制御装置１０６におけるＳＣＴＰシステム情報を前記共有メモリ手段に記憶し、アクティブ系通信制御装置１０６に障害が生じたとき、スタンバイ系通信制御装置１０７が前記共有メモリ手段に記憶されたＳＣＴＰシステム情報を用いてアクティブ系通信制御装置として動作するように構成している。
【００４３】
また、信号中継局１０２のアクティブ系通信制御装置１０６が信号中継局１０５と信号終端局１０４間の信号伝送を制御しているときに、スタンバイ系通信制御装置１０７は通信制御装置１０６と同じＳＣＴＰシステム情報の複製を保有しており、通信制御装置１０６、１０７は同期している。通信制御装置１０６に障害が生じた場合、通信制御装置１０７は自己のＳＣＴＰシステム情報を使用して、通信制御装置１０６に代わって直ちにアクティブ系に移行し、通信制御を行う。
このように、多重化された装置間でＳＣＴＰのアソシエーション情報、システム状態を同期させることで、本来コネクション指向のＳＣＴＰの動作を拡張し、障害発生時には、他系の装置で処理を継続できるようにしているため、ＳＣＴＰを用いた高信頼性データ通信を要するＩＰネットワーク上での電話信号送受信システム等において、装置障害が発生した時でも対向する装置に障害透過で信号抜けのない通信の提供が可能となる。
【００４４】
また、ＳＳ７網の信号をＳＣＴＰを用いて通信制御を行う場合に、アクティブ系の障害発生時に、通信を切断することなくスタンバイ系による通信制御に速やかに移行することが可能になる。
また、前記実施の形態に係る多重化システムを各種の通信システムに用いることにより、信号ロスや中断が許されない通信システムにおいて、より高い信頼性を提供することが可能になるという効果を奏する。
【００４５】
また、前記実施の形態によれば、前記多重化システムを構築するのに適した通信制御装置が適用できる。また、コンピュータに実行させることによってコンピュータを前記通信制御装置として機能させるのに適したプログラムが提供できる。また、通信制御方法が提供できる。
尚、前記実施の形態では、二重化された装置間を高速ネットワークで接続していたが、高速バス接続などハードウェアでの対応が可能であれば、これに置き換えることでより高速なレプリケーション処理が実現可能である。
【００４６】
また、アクティブ系通信制御装置とスタンバイ系通信制御装置間で相互に参照できる共有メモリを実装し、ＳＣＴＰシステム情報をこの共有メモリエリアに書き込む方式を採用することにより、アクティブ系通信制御装置からスタンバイ系通信制御装置へのＳＣＴＰシステム情報のレプリケーション処理をなくすことが可能であり、大きな負荷軽減となる。この場合、アクティブ系通信制御装置が障害となったときは、スタンバイ系通信制御装置は、この共有メモリエリアに記憶されているデータを参照して処理を継続可能である。
【００４７】
また前記実施の形態に係る信号中継局１０２は、二重化された装置構成における耐障害信頼性の向上のための適用以外にも、一重化装置内で複数実装されているネットワークＩ／Ｆなどへの適用も可能である。現在ＳＣＴＰ通信を行っているネットワークＩ／Ｆが障害になるのを契機に、それまでのＳＣＴＰシステム情報を引き継いで、異なるネットワークＩ／Ｆを用いてＳＣＴＰ通信を継続するように構成できる。
【産業上の利用可能性】
【００４８】
固定電話網および携帯電話網とＩＰネットワーク網を中継する信号中継局、ＩＰネットワーク上で固定電話網及び携帯電話網の信号の終端や処理を行う信号終端局、トランスポートプロトコルにＳＣＴＰを用いる高信頼性が要求されるＩＰサーバ間での通信を制御する通信制御装置等、各種の通信制御装置に適用可能である。また、前記通信制御装置を使用した多重化システムに適用可能である。
【図面の簡単な説明】
【００４９】
【図１】本発明の実施の形態に係る多重化システムのブロック図である。
【図２】本発明の実施の形態に係る多重化システムに使用する信号中継局のブロック図である。
【図３】従来の多重化システムのブロック図である。
【符号の説明】
【００５０】
１０１・・・ＳＳ７網
１０２・・・通信制御装置を構成する信号中継局（ＳＧＷ）
１０３・・・ＩＰ網
１０４・・・信号終端局（ＩＰ−ＳＥＰ）
１０５・・・信号中継局（ＳＴＰ）
１０６・・・アクティブ系通信制御装置
１０７・・・スタンバイ系通信制御装置
１０８・・・ネットワークＩ／Ｆ
１０９・・・ＩＰルータ
２０１・・・第１信号処理アプリケーション部
２０２・・・第１ＳＣＴＰプロトコル機能部
２０３・・・第１記憶手段を構成する第１メモリエリア
２０４・・・第１ＳＣＴＰシステム情報エリア
２０５・・・複製手段を構成する第１ＳＣＴＰシステム情報レプリケーション機能部
２１１・・・第２信号処理アプリケーション部
２１２・・・第２ＳＣＴＰプロトコル機能部
２１３・・・第２記憶手段を構成する第２メモリエリア
２１４・・・第２ＳＣＴＰシステム情報エリア
２１５・・・複製手段を構成する第２ＳＣＴＰシステム情報レプリケーション機能部
３０２・・・信号中継局（ＳＧＷ）
【図１】
2007274256.tif 000003
【図２】
2007274256.tif 000004
【図３】
2007274256.tif 000005